(57)【要約】【課題】尿器の不使用時には尿器を外部より遮蔽することができ、尿器の使用時にはカバーケースを尿器を適当な高さに設置できる置き台として使用することができる尿器収納ケースを提供する。【解決手段】尿器収納ケース本体１と、上面部６と下面部７を開放し、且つその上面部内周縁に沿って係止部８を設けたケース本体１のカバーケース５と、ケース本体１の蓋体９とからなり、尿器の使用時には係止部８の上面に尿器収納ケース本体１の下端部を係止させてカバーケース５を尿器収納ケース本体１の置き台として使用する尿器収納ケース。【選択図】図１
0003119695.tif 000002
【実用新案登録請求の範囲】
【請求項１】
尿器収納ケース本体と、上面部と下面部を開放し、且つその上面部内周縁に沿って係止部を設けた上記ケース本体のカバーケースと、上記ケース本体の蓋体とからなることを特徴とする尿器収納ケース。
【請求項２】
係止部の上面に尿器収納ケース本体の下端部を係止させてカバーケースを尿器収納ケース本体の置き台として使用する請求項１記載の尿器収納ケース。
【請求項３】
２以上の置き台を設けた請求項２記載の尿器収納ケース。
【請求項４】
蓋体の上面にカバーケースの下端部の係合部を設けた請求項２記載の尿器収納ケース。
【考案の詳細な説明】
【技術分野】
【０００１】  この考案は、使用時には尿器を寝具の傍らの適当な高さに設置できるようにした尿器収納ケースに関するものである。
【背景技術】
【０００２】  従来尿器収納ケースとしては、採尿後の尿器の運搬に便利なように取っ手を外部に突設させたもの（実用新案登録第３００３１６５号）、車椅子を使用する病人が車椅子を使用中或いは車椅子に乗ったまま簡単に排尿できるようにスライド板が嵌挿された載置台に搭載したもの（実用新案登録第３０１１０２０号）が開示されている。
【特許文献１】実用新案登録第３００３１６５号、実用新案登録第３０１１０２０号
【考案の開示】
【考案が解決しようとする課題】
【０００３】  一方、夜頻繁に尿意を催す人或いは病人等にとっては、尿意を催したとき素早く排尿できるように寝具の傍の手の届く高さに尿器が置かれていることが必要である。【０００４】  このような場合、従来は室内の家具など寝具の傍の手の届く高さに尿器を置かれることが多いが、和室布団或いはベッドなど寝具によって高さも区々であり、尿器を置く適当な場所を見付けるのが難しい。【０００５】  また、尿器を置く場所によっては多少の振動によっても内部の排尿が漏れ出る虞もある。
【課題を解決するための手段】
【０００６】  この考案は、上記実情に鑑み、尿器収納ケース本体と、上面部と下面部を開放し、且つその上面部内周縁に沿って係止部を設けた上記ケース本体のカバーケースと、上記ケース本体の蓋体とからなる尿器収納ケースを提案するものである。【０００７】  即ち、この考案においては尿器の不使用時には尿器を収納したケース本体に開放された下面部よりカバーケースを被せ、カバーケースの上面部より露出されたケース本体には蓋体を被せてケース本体内に収納された尿器を外部より遮蔽する。【０００８】  また、この考案において尿器の使用時にはカバーケースはその係止部の上面に尿器収納ケース本体の下端部を係止させることにより尿器収納ケース本体の置き台として使用することができる。【０００９】  即ち、和室布団のように寝具の高さが低い時には置き台を必要としないが、高さが３０〜５０ｃｍ位のベッドのような寝具の高さではその係止部の上面にケース本体を載せることにより使用者の手の届く高さに尿器を設置することができる。【００１０】  また、高さが５０〜８０ｃｍ位のベッドでは置き台を２段重ねにしてその係止部の上面にケース本体を載せることにより使用者の手の届く高さに尿器を設置することができる。【００１１】  なお、カバーケースをケース本体の置き台として使用する場合には、カバーケースの振動によりケース本体に収納された尿器が振動して内部の排尿が零れ出る虞もある。【００１２】  このような場合には、その上面にカバーケースの下端部の係合部を設けた蓋体を下敷きにしてカバーケースを設置すれば、カバーケースの振動を防ぐことができる。
【考案の効果】
【００１３】  以上要するに、この考案によれば尿器の不使用時には尿器を外部より遮蔽することができ、尿器の使用時にはカバーケースを尿器を適当な高さに設置できる置き台として使用することができる。
【考案を実施するための最良の形態】
【００１４】  尿器収納ケース本体と、上面部と下面部を開放し、且つその上面部内周縁に沿って係止部を設けた上記ケース本体のカバーケースと、上記ケース本体の蓋体とからなり、尿器の使用時には係止部の上面に尿器収納ケース本体の下端部を係止させてカバーケースを尿器収納ケース本体の置き台として使用する尿器収納ケース。
【実施例１】
【００１５】  以下、この考案を図示の実施例に基づいて詳細に説明すると、１は尿器２を収納するケース本体で、ケース本体１に尿器２の立て掛け部３とチリ紙の収納部４を有する。【００１６】  ５は上面部６と下面部７を開放したカバーケースで、カバーケース５の上面部６の内周縁に沿って係止部８が設けられる。【００１７】  ９はケース本体１の蓋体で、蓋体９の中央にはカバーケース５の下端部を係合する係合部１０が設けられる。【００１８】  以上の構成において、尿器２の不使用時においては尿器２を収納したケース本体１を下面部７よりカバーケース５を被せ、カバーケース５の上面部６より露出されたケース本体１には蓋体９を被せてケース本体２内に収納された尿器２を外部より遮蔽する。【００１９】  また、尿器２の使用時にはカバーケース５は尿器収納ケース本体１の置き台として使用することができる。【００２０】  即ち、和室布団のように寝具の高さが低い時には置き台５を必要としないが（図４参照）、高さが３０〜５０ｃｍ位のベッドのような寝具の高さでは置き台５の係止部８の上面にケース本体１を載せることにより使用者の手の届く高さに尿器２を設置することができる（図５参照）。【００２１】  また、高さが５０〜８０ｃｍ位のベッドでは置き台５、５を２段重ねにして１段目の置き台５の係止部８の上面にケース本体１を載せることにより使用者の手の届く高さに尿器を設置することができる（図６参照）。【００２２】  なお、カバーケース５を置き台として使用する場合には、蓋体９を下敷きにしてその係合部１０に最下段の置き台５の下端部を係合させるようにすれば置き台５の横揺れを防止でき、したがってこれに伴う尿器２内に排尿の零れ出るのを防ぐことができる。【００２３】  器内に排尿した後尿器２は立て掛け部３に立て掛けておき、尿器２内の尿量が一定量に達したとき、外部の便器に放尿する。
【産業上の利用可能性】
【００２４】  以上要するに、この考案によれば尿器の不使用時には尿器を外部より遮蔽することができ、尿器の使用時にはカバーケースを尿器を適当な高さに設置できる置き台として使用することができる尿器収納ケースを提供できる。
【図面の簡単な説明】
【００２５】
【図１】この考案に係わる尿器収納ケースの一実施例を示す分解斜視図
【図２】同上の実施例において尿器収納状態における尿器収納ケースのを示す斜視図
【図３】同上の実施例においてカバーケースを置き台として使用する場合のカバーケースの設置状態を示す斜視図
【図４】置き台を必要としない場合のケース本体の設置状態を示す斜視図
【図５】１段の置き台を使用した場合のケース本体の設置状態を示す斜視図
【図６】２段の置き台を使用した場合のケース本体の設置状態を示す斜視図
【符号の説明】
【００２６】  １はケース本体
２は尿器
３は立て掛け部
４はチリ紙の収納部
５はカバーケース又は置き台
６はカバーケースの上面部
７はカバーケースの下面部
８は係止部
９はケース本体の蓋体
１０は係合部
【図１】
0003119695.tif 000003
【図２】
0003119695.tif 000004
【図３】
0003119695.tif 000005
【図４】
0003119695.tif 000006
【図５】
0003119695.tif 000007
【図６】
0003119695.tif 000008